(57)【要約】      （修正有）【課題】二物品を迅速に組み立てることができ、しかも結合強度が高い多機能継手構造を提供する。【解決手段】多機能継手構造は、迅速に安定して正確に嵌合可能なものであり、上部部品１１と、上部部品に連結される支柱部品１２とを有し、上部部品には、貫通穴が設けられ、貫通穴の両端には、支柱部品の内壁に接着される第１曲げ部１１２が設けられ、支柱部品の先端部には、上部部品の頂面に接着される第２曲げ部１２１が設けられる。【選択図】図２
0003220229.tif 000002
【実用新案登録請求の範囲】
【請求項１】
上部部品と、前記上部部品に連結される支柱部品とを有する多機能継手構造であって、
前記上部部品には、貫通穴が設けられ、
前記貫通穴の両端には、前記支柱部品の内壁に接着される第１曲げ部が設けられ、
前記支柱部品の先端部には、前記上部部品の帳面に接着される第２曲げ部が設けられる、迅速に安定して正確に嵌合可能な多機能継手構造。
【請求項２】
前記支柱部品が角柱である請求項１に記載の多機能継手構造。
【考案の詳細な説明】
【技術分野】
【０００１】
本考案は、嵌合構造に関し、より詳細には、迅速に安定して正確に嵌合可能な多機能継手構造に関する。
【背景技術】
【０００２】
一般的に、金属製の物体を組み立てるときには、まず、物体に孔を開けた後に、当該孔に角材を通してネジ止めすることによって組み立てられるが、組み立ての過程で係止ネジのネジ締め力を統一する必要がある。また、ネジ止めの最中に物体間の相対位置が僅かにずれる可能性があるので位置決めしにくく、組立てや調整に多大な手間と時間がかかるので、金属製の物体を組み立てる作業は非常に煩雑である上に非効率的である。
【０００３】
従来の金属製の物体を組み立てる構造を開示する文献としては、例えば特許文献１（特表２０００−５１４１６０号公報）がある。特許文献１に開示の非溶接継手は、第１端部を有する連結軸と、該第１端部から延び、かつ凸状多角形横断面を有する第１軸端と、孔を有する第１ダイアフラムとが含まれており、該孔が前記第１軸端の横断面に事実上合致する横断面を有している。
【０００４】
上記特許文献１に開示の非溶接継手を用いることによって、故障を生じやすい応力点が除去された継手設計とすることができる。しかしながら、特許文献１に開示の非溶接継手は、２物品の端部同士を結合する場合には利用できるが、端部以外の部分を結合する場合に応用することができなかった。また物品の組み立て作業自体は簡略化できても、第１軸端の横断面に合致する孔を形成する作業自体が煩わしかった。
【０００５】
上記の問題があるため、本出願人は、長年に亘って関連分野の研究開発に従事し、上述の欠点を掘り下げて議論するとともに上述のニーズを踏まえて積極的に解決案を模索することによって本考案を完成させた。
【先行技術文献】
【特許文献】
【０００６】
【特許文献１】特表２０００−５１４１６０号公報
【考案の概要】
【考案が解決しようとする課題】
【０００７】
本考案の主な目的は、物体を迅速に組み立てることができる継手構造を提供することである。
【０００８】
本考案の第２の目的は、物体間の結合強度を高めることである。
【課題を解決するための手段】
【０００９】
上記目的を達成するために、本考案は、迅速に安定して正確に嵌合可能な多機能継手構造であって、上部部品と、前記上部部品に連結される支柱部品とを含む。
【００１０】
前記上部部品には、貫通穴が設けられ、前記貫通穴の両端には、前記支柱部品の内壁に接着される第１曲げ部が設けられる。
【００１１】
前記支柱部品の先端部には、前記上部部品の帳面に接着される第２曲げ部が設けられる。
【００１２】
本考案の構造の利点は、迅速に安定して正確に組み立てることができる上に、
１．組み立てに必要な部品を減らすことができる。
２．組み立てた後の構造的な強度がネジ止め固定よりも大きい。
３．組み立て中の位置決めにズレが生じない。
【図面の簡単な説明】
【００１３】
【図１】本考案の迅速に安定して正確に嵌合可能な多機能継手構造の立体斜視図である。
【図２】本考案の迅速に安定して正確に嵌合可能な多機能継手構造の分解斜視図である。
【図３】本考案の実施形態（１）の形態を示す図である。
【図４】本考案の実施形態（２）の形態を示す図である。
【図５】本考案の実施形態（３）の形態を示す図である。
【図６】本考案の実施形態（４）の形態を示す図である。
【図７】本考案の実施形態（５）の形態を示す図である。
【考案を実施するための形態】
【００１４】
本考案の目的、機能、特徴及び構造をより詳細に理解されるべく、図面と併せて好ましい実施形態を説明する。
【００１５】
図１及び図２を参照して、図１は、本考案の迅速に安定して正確に嵌合可能な多機能継手構造の立体斜視図であり、図２は、本考案の迅速に安定して正確に嵌合可能な多機能継手構造の分解斜視図である。
【００１６】
本考案の迅速に安定して正確に嵌合可能な多機能継手構造１は、上部部品１１と、前記上部部品１１に連結される支柱部品１２とを有している。
【００１７】
上部部品１１には、貫通穴１１１が設けられ、当該貫通穴１１１の両端には、支柱部品１２の内壁に接着される第１曲げ部１１２が設けられる。
【００１８】
支柱部品１２の先端部には、上部部品１１の帳面に接着される第２曲げ部１２１が設けられており、支柱部品１２は角柱である。
【００１９】
本考案の実施形態の作成について関連する図面を参照しつつ以下に説明する。
【００２０】
図３は、本考案の実施形態（１）の形態を示す図であり、図４は、本考案の実施形態（２）の形態を示す図である。
【００２１】
本考案の継手構造は、上部部品１１と支柱部品１２とを加工して組み立てる必要がある。まず、上部部品１１を取り出して貫通穴１１１を設ける。貫通穴１１１を設けた後に、貫通穴１１１の両端に、上部部品１１に平行な第１曲げ部１１２と、当該第１曲げ部１１２の両端に位置する溝とが設けられる。これにより貫通穴１１１と第１曲げ部１１２と溝とが形成されて、略Ｈ字形状となる。次に、支柱部品１２の上部に、支柱部品１２に平行な第２曲げ部１２１を形成する。これにより支柱部品１２を側面からみると、支柱部品１２の上端部が略Ｕ字状を呈したものとなる。上部部品１１と支柱部品１２の加工方法は、パンチング加工又はフライス加工を適宜選択することができる。
【００２２】
そして、上部部品１１と支柱部品１２との両方を加工した後に、支柱部品１２の第２曲げ部１２１を上部部品１１の溝に挿入し、第１曲げ部１１２がＵ字状の支柱部品１２の上部の頂面に取り付けられる。次に、打抜部品２を用いて第１曲げ部１１２及び第２曲げ部１２１を打ち抜くことによって支柱部品１２を固定する。
【００２３】
図５は、本考案の実施形態（３）の形態を示す図であり、図６は、本考案の実施形態（４）の形態を示す図であり、図７は、本考案の実施形態（５）の形態を示す図である。
【００２４】
次に、打抜部品２の頂部２１を貫通穴１１１（図３参照）に位置合わせをして図５に示すように下向きに穿孔し、押出方向に第１曲げ部１１２を内側に徐々に折り曲げる。頂部２１を一定距離だけ打ち抜くと、第２曲げ部１２１の先端が打抜部品２の底面に当接する。さらに打抜部品２を徐々に押圧することによって第２曲げ部１２１が打抜部品２の底面に沿って外側に撓み、打抜部品２を一番下まで押し込むと第２曲げ部１２１が上部部品１１の内壁に接触して、第２曲げ部１２１が上部部品１１に取り付けられる。最後に、打抜部品２を取り除くことによって本考案の継手構造を完成させる。
【００２５】
上記手順によって、迅速に安定して正確に嵌合可能な多機能継手構造を作製することができる。上記多機能継手構造の利点としては、
１．ネジ止めの代わりに第１曲げ部と第２曲げ部とを用いることによって部品の組み立ての手間を低減することができる。
２．第１曲げ部及び第２曲げ部が、上部部品と支柱部品にしっかりと結合されるので、ネジ止めよりも構造的な強度が高い。
３．上部部品と支柱部品との相対位置が、第１曲げ部と第２曲げ部が湾曲しないように予め位置決めされるので、組み立て作業中に位置決めの誤差が生じない。
【００２６】
本考案に関する国内外の技術情報文献を確認したところ、本考案がなされる前に同一又は類似の構造が存在しないという事実が判明した。このため、本考案及び本考案の類似製品の進歩性及び実用性が認められる。したがって、本考案は、「創造性」、「産業上の利用可能性」および「進歩性」という実用新案法上の登録要件を満たす。
【００２７】
上記の説明は、本発明の好ましい実施形態を説明したものに過ぎず、本明細書及び実用新案登録請求の範囲に適用される他の均等な構造的変更についても本考案の範囲に含まれるものとする。
【符号の説明】
【００２８】
１  迅速に安定して正確に嵌合可能な多機能継手構造
１１  上部部品
１１１  貫通穴
１１２  第１曲げ部
１２  支柱部品
１２１  第２曲げ部
２  打抜部品
２１  頂部
【図１】
0003220229.tif 000003
【図２】
0003220229.tif 000004
【図３】
0003220229.tif 000005
【図４】
0003220229.tif 000006
【図５】
0003220229.tif 000007
【図６】
0003220229.tif 000008
【図７】
0003220229.tif 000009